(57)【特許請求の範囲】
【請求項１】
ウエスト部を有する本体部と、
前記ウエスト部の上側で当該ウエスト部の周方向に沿って配置された押さえ部と、を備え、
前記押さえ部は、
前記本体部の前側に位置する第１の部分と、
前記本体部の脇側に位置する第２の部分と、
前記本体部の背側に位置する第３の部分と、を有し、
前記第１の部分の周方向の伸長率をＡ１、前記第２の部分の周方向の伸長率をＡ２、前記第３の部分の周方向の伸長率をＡ３とした場合に、Ａ１＜Ａ２＜Ａ３の関係を満たし、
前記第１の部分の幅方向の曲げ剛性をＢ１、前記第２の部分の幅方向の曲げ剛性をＢ２、前記第３の部分の幅方向の曲げ剛性をＢ３とした場合に、Ｂ１＜Ｂ２かつＢ３＜Ｂ２の関係を満たすボトム衣類。
【請求項２】
前記第２の部分は、前記本体部の脇中心を超えて背側まで延在している請求項１記載のボトム衣類。
【請求項３】
前記第１の部分と前記第２の部分とが連続している請求項１又は２記載のボトム衣類。
【請求項４】
前記第２の部分と前記第３の部分とが連続している請求項１〜３のいずれか一項記載のボトム衣類。
【発明の詳細な説明】
【技術分野】
【０００１】
本発明は、ボトム衣類に関する。
【背景技術】
【０００２】
従来、ウエスト周りを中心に着用者の体型を補整するボトム衣類が知られている。このようなボトム衣類は、一般的に強い着圧を着用者のウエスト周りに付与し、腹部から腰部辺りを押さえる構成となっていた。そこで、ウエスト周りの着用感を確保するための構成として、例えば特許文献１に記載のガードルでは、腹押さえ辺の両脇に身生地よりも伸縮性の高い逆三角形状の伸縮性編地片を配置している。また、例えば特許文献２に記載のガードルでは、ウエスト部周りに伸縮ベルトを配置し、伸縮ベルトの両脇部を前後部よりも幅広にすると共に伸長度を低くしている。
【先行技術文献】
【特許文献】
【０００３】
【特許文献１】特許第４３８６９９２号公報
【特許文献２】実用新案登録第３１２３５５２号公報
【発明の概要】
【発明が解決しようとする課題】
【０００４】
しかしながら、上述したような従来のボトム衣類では、着用後に日常の動作を行った際にウエスト周りに着くずれが生じることがある。ウエスト周りの着くずれによってボトム衣類のウエスト部に丸まりや折れが生じると、ウエスト部に着用者の贅肉が乗ってボディラインが崩れてしまうおそれがある。特に、強い着圧を着用者のウエスト周りに付与する従来のボトム衣類では、ウエスト部が着用者の贅肉に喰い込み易く、ウエスト周りに段差が生じてしまうという問題が生じ得る。
【０００５】
この点につき、ボトム衣類のウエスト丈を長くしてハイウエスト型とすれば、ウエスト周りの着くずれを防止することが可能である。しかしながら、単純にウエスト丈を長くすると、ボトム衣類が大型化してデザイン上の制限を受け易くなり、着脱容易性も低下してしまうことが考えられる。
【０００６】
本発明は、上記課題の解決のためになされたものであり、体型補整効果と着脱容易性とを十分に確保しつつ、着用時の着くずれを抑制してボディラインを維持できるボトム衣類を提供することを目的とする。
【課題を解決するための手段】
【０００７】
上記課題の解決のため、本発明に係るボトム衣類は、ウエスト部を有する本体部と、ウエスト部の上側でウエスト部の周方向に沿って配置された押さえ部と、を備え、押さえ部は、本体部の前側に位置する第１の部分と、本体部の脇側に位置する第２の部分と、本体部の背側に位置する第３の部分と、を有し、第１の部分の周方向の伸長率をＡ１、第２の部分の周方向の伸長率をＡ２、第３の部分の周方向の伸長率をＡ３とした場合に、Ａ１＜Ａ２＜Ａ３の関係を満たし、第１の部分の幅方向の曲げ剛性をＢ１、第２の部分の幅方向の曲げ剛性をＢ２、第３の部分の幅方向の曲げ剛性をＢ３とした場合に、Ｂ１＜Ｂ２かつＢ３＜Ｂ２の関係を満たす。
【０００８】
このボトム衣類では、着用者に着圧を付与する押さえ部がウエスト部の上側に配置されている。押さえ部では、本体部の前側に位置する第１の部分の周方向の伸長率が最も低くなっており、着用者の腹部周辺をしっかりと押さえて体型補整効果を発揮する一方、本体部の背側に位置する第３の部分の周方向の伸長率が最も高くなっており、着脱容易性と着用者の運動に対する追従性とを確保できる。また、押さえ部では、本体部の脇側に位置する第２の部分の曲げ剛性が最も高くなっており、着用者が日常の動作を行った際に第２の部分が外側に曲がってしまうことを防止できる。したがって、このボトム衣類では、体型補整効果と着脱容易性とを十分に確保しつつ、着用時の着くずれを抑制してボディラインを維持できる。
【０００９】
また、第２の部分は、本体部の脇中心を超えて背側まで延在していてもよい。この場合、着用者が運動した際に第２の部分が外側に曲がってしまうことを一層確実に防止できる。
【００１０】
また、第１の部分と第２の部分とが連続していてもよい。この場合、着用者が運動した際に第２の部分が外側に曲がってしまうことを一層確実に防止できる。
【００１１】
また、第２の部分と第３の部分とが連続していてもよい。この場合、第３の部分による着用者の運動に対する追従性を一層効果的に発揮させることができる。
【発明の効果】
【００１２】
本発明に係るボトム衣類によれば、体型補整効果と着脱容易性とを十分に確保しつつ、着用時の着くずれを抑制してボディラインを維持できる。
【図面の簡単な説明】
【００１３】
【図１】本発明に係るボトム衣類の一実施形態を示す斜視図である。
【図２】図１に示したボトム衣類の正面図である。
【図３】図１に示したボトム衣類の側面図である。
【図４】図１に示したボトム衣類の背面図である。
【図５】押さえ部の第２の部分を切り欠いて示す斜視図である。
【図６】押さえ部の第２の部分の断面構成を示す概略図である。
【図７】押さえ部の第３の部分の断面構成を示す概略図である。
【図８】（ａ）は変形例に係る第２の部分の断面構成を示す概略図であり、（ｂ）は変形例に係る第３の部分の断面構成を示す概略図である。
【発明を実施するための形態】
【００１４】
以下、図面を参照しながら、本発明に係るボトム衣類の好適な実施形態について詳細に説明する。
【００１５】
図１は、本発明に係るボトム衣類の一実施形態を示す斜視図である。また、図２は図１に示したボトム衣類の正面図であり、図３はその側面図であり、図４はその背面図である。図１〜図４に示すように、本実施形態に係るボトム衣類１は、例えば女性用のガードルとして構成され、着用者のウエスト周辺のボディラインを補整する体型補整機能を有している。
【００１６】
ボトム衣類１は、着用状態において例えば着用者の腹部、腰部、股部、臀部、及び大腿部を覆うように形成された本体部２を備えている。本体部２は、例えば着用者のウエストライン（ウエストが最もくびれる部分）に対応するウエスト部１１と、着用者の脚部を通す左右の裾部１２と、着用者の股間部に対応する股部１３とを有している。
【００１７】
また、本体部２の前側には、図２に示すように、例えば着用者の腹部から股部にかけて宛てがわれるフロント部１４が設けられ、本体部２のウエスト部１１周りには、フロント部１４の両脇から本体部２の後中心Ｂ（図４参照）の位置にわたって上辺部１５が設けられている。フロント部１４は、例えば本体部２の前中心Ａの位置を中心としてウエスト部１１から股部１３にかけて左右対称に配置されている。フロント部１４の上側は、ウエスト部１１から上辺部１５の下端付近にかけて左右幅が徐々に広がり、上辺部１５の下端の僅かに下側で最大幅となっている。フロント部１４の下側は、左右幅が徐々に狭まり、フロント部１４の下端は、股部１３の左右幅と略同一で股部１３に連結されている。
【００１８】
上辺部１５は、ウエスト部１１周りに帯状に配置されている。上辺部１５の下端側は、図３に示すように、本体部２の側面側から見た場合に上方に凸となるように緩やかに湾曲しており、左右の上辺部１５，１５は、図４に示すように、本体部２の後中心Ｂの位置で互いに連結されている。上辺部１５の裏側（着用者の肌側）には、例えば図１に示すように、上辺部１５と略同形状の裏打ち布１６が配置されている。
【００１９】
フロント部１４は、着用者の腹部を押さえて引き締める部分であり、例えばワンウェイサテンパワーネット、ワンウェイラッセルなどの素材によって形成され、少なくとも左右方向の非（難）伸縮性を有している。また、股部１３は、例えばダブルラッセル、ウーリーパワーネット、天竺などの素材によって形成されている。一方、上辺部１５は、着脱容易性などを確保する観点から、例えばツーウェイサテンパワーネット、パワーネットなどの伸縮性を有する素材によって形成されている。また、裏打ち布１６は、例えばパワーネット、ツーウェイサテンパワーネットなどの伸縮性を有する素材によって形成されている。本体部２のうち、フロント部１４、股部１３、上辺部１５、及びフロント部１４を除く残余の部分は、着脱容易性や密着性などを確保する観点から、例えばツーウェイラッセル、ツーウェイトリコット、パワーネットなどの伸縮性を有する素材によって形成されている。
【００２０】
また、ボトム衣類１は、例えば図１に示すように、着用者に着圧を付与する押さえ部２１を有している。押さえ部２１は、ウエスト部１１の上側でウエスト部１１の周方向に沿って配置され、例えば着用者のウエストラインから第三腰椎に相当する高さまでを覆うように所定幅の帯状をなしている。押さえ部２１が第三腰椎に相当する高さまでの範囲を覆うように構成されていることで、着脱の容易さも確保しつつ、ウエスト周りを広範囲に補整できる。また、押さえ部２１が着用者の肋骨に干渉することも回避でき、着用感を良好にできる。
【００２１】
押さえ部２１は、より具体的には、本体部２の前側に位置する第１の部分２２（図２参照）と、本体部２の脇側に位置する第２の部分２３（図３参照）と、本体部２の背側に位置する第３の部分２４（図４参照）と、を有している。第１の部分２２は、図２に示すように、本体部２の前中心Ａの位置を中心として左右対称に配置され、フロント部１４の上側に延在している。第１の部分２２は、例えばフロント部１４を形成する素材を延在させ、上端を裏側に折り返すと共に、折り返し端部１４ａ（図５参照）を縫着部Ｗ１によってウエスト部１１の位置に縫着することによって構成されている。
【００２２】
第２の部分２３は、図３に示すように、第１の部分２２と第３の部分２４との間で上辺部１５の上側に延在している。第２の部分２３の一端側は、本体部２の前側で第１の部分２２に連続し、第２の部分２３の他端側は、本体部２の脇中心Ｃを超えて背側に位置している。この第２の部分２３の他端側は、着用状態において、着用者の後腋窩線（脇部の後端を通る上下の線）に位置していることが好ましい。
【００２３】
この第２の部分２３は、図５及び図６に示すように、例えば表側の上辺部１５を形成する素材の上端を裏打ち布１６を挟んで裏側に折り返すと共に、表側の上辺部１５と裏打ち布１６との間に帯状のゴムテープ（或いはストレッチテープ）２５を配置し、縫着部Ｗ２によってゴムテープ２５の周縁部を上辺部１５の折り返し部分１５ａと共に裏打ち布１６に縫着することによって構成されている。
【００２４】
第３の部分２４は、図４に示すように、例えば本体部２の後中心Ｂの位置を中心として左右対称に配置され、上辺部１５の上側に延在している。第３の部分２４の一端側は、第２の部分２３の他端側に連続し、第３の部分２４の他端側は、後中心Ｂの位置で他方の第３の部分２４の他端側に連続している。
【００２５】
この第３の部分２４は、図７に示すように、例えば表側の上辺部１５を形成する素材の上端を裏打ち布１６の裏側に折り返すと共に、縫着部Ｗ３によって折り返し部分１５ａの端部をウエスト部１１の位置において裏打ち布１６に縫着することによって構成されている。押さえ部２１に占める第３の部分２４の範囲は、例えば押さえ部２１の全周を１００％とした場合に、２０％〜４０％程度であることが好適である。
【００２６】
上述した構成により、押さえ部２１の第１の部分２２、第２の部分２３、及び第３の部分２４は、互いに異なる周方向の伸長率及び幅方向の曲げ剛性を有している。すなわち、押さえ部２１では、第１の部分２２の周方向の伸長率をＡ１、第２の部分２３の周方向の伸長率をＡ２、第３の部分２４の周方向の伸長率をＡ３とした場合に、Ａ１＜Ａ２＜Ａ３の関係を満たすようになっている。
【００２７】
なお、第３の部分２４は、上述したように、上辺部１５を形成する素材の上端を裏側に折り返すと共に、折り返し端部をウエスト部１１の位置で縫着することによって構成されている。したがって、第３の部分２４の伸長率は、上辺部１５の伸長率に比べて小さくなっている。
【００２８】
また、押さえ部２１では、第１の部分２２の幅方向の曲げ剛性をＢ１、第２の部分２３の幅方向の曲げ剛性をＢ２、第３の部分２４の幅方向の曲げ剛性をＢ３とした場合に、Ｂ１＜Ｂ２かつＢ３＜Ｂ２の関係を満たすようになっている。なお、Ｂ１とＢ３との関係については、Ｂ３＜Ｂ１となっていてもよく、Ｂ１＜Ｂ３となっていてもよい。
【００２９】
第１の部分２２、第２の部分２３、及び第３の部分２４の周方向の伸長率Ａ１〜Ａ３は、例えば株式会社島津製作所製オートグラフＡＧ−Ｉ５００Ｎを用いて測定した。この伸長性試験を行う場合、第１の部分２２、第２の部分２３、及び第３の部分２４を幅３ｃｍに切り出し、つかみ間隔を１０ｃｍとして試験機にセットし、３００ｍｍ±２０ｍｍ／ｍｉｎの速度で２２．１Ｎ（２．２５ｋｇｆ）まで荷重をかけ、荷重１４．７１Ｎ（１．５ｋｇｆ）付加時の伸長率を測定する。伸長率（％）は、元の長さをＬ０、荷重付加時の長さをＬ１とした場合に、（（Ｌ１−Ｌ０）／Ｌ０）×１００で算出される。
【００３０】
本実施例においては、例えばＡ１＝１８％、Ａ２＝５３％、Ａ３＝９４％となっている。Ａ１は、例えば１０％以上２５％未満となっていることが好ましい。Ａ２は、例えば２５％以上７５％未満となっていることが好ましい。Ａ３は、例えば７５％以上１１０％未満となっていることが好ましい。
【００３１】
また、第１の部分２２、第２の部分２３、及び第３の部分２４の幅方向の曲げ剛性Ｂ１〜Ｂ３は、例えばカトーテック株式会社製純曲げ試験機ＫＥＳＦＢ２を用い、曲げ剛性を示すＢ値（Ｂ値が大きいほど曲げ剛性が高い）により測定する。この曲げ剛性試験を行う場合、第１の部分２２、第２の部分２３、及び第３の部分２４のサンプルを長さ１ｃｍ・幅３ｃｍに切り出し、幅方向に１ｃｍの間隔をもって試験機のチャックで把持する（有効試料１ｃｍ×１ｃｍ）。そして、例えば曲率Ｋ＝−２．５〜＋２．５（ｃｍ−１）の範囲で各サンプルの等速度曲率の純曲げを行い、その際の変形速度を例えば０．５（ｃｍ−１）／ｓｅｃとして、単位長さ当たりの各サンプルの曲げ剛性を測定する。
【００３２】
第１の部分２２のサンプルとしては、例えばフロント部１４を構成する素材を２層とした積層体を用いる。第２の部分２３のサンプルとしては、例えば上辺部１５を構成する素材、ゴムテープ２５、裏打ち布１６を構成する素材、及び上辺部１５を構成する素材をこの順で積層した積層体を用いる。第３の部分２４のサンプルは、例えば上辺部１５を構成する素材、裏打ち布１６を構成する素材、及び上辺部１５を構成する素材をこの順で積層した積層体を用いる。
【００３３】
本実施例においては、例えばＢ１＝０．１９ｇｆ・ｃｍ２／ｃｍ、Ｂ２＝７．２９ｇｆ・ｃｍ２／ｃｍ、Ｂ３＝０．３７ｇｆ・ｃｍ２／ｃｍとなっている。Ｂ１及びＢ３は、例えば０．１ｇｆ・ｃｍ２／ｃｍ以上２．０ｇｆ・ｃｍ２／ｃｍ未満となっていることが好ましい。Ｂ２は、例えば２．０ｇｆ・ｃｍ２／ｃｍ以上１２．０ｇｆ・ｃｍ２／ｃｍ未満となっていることが好ましく、５．０ｇｆ・ｃｍ２／ｃｍ以上９．０ｇｆ・ｃｍ２／ｃｍ未満となっていることがより好ましい。
【００３４】
以上説明したように、ボトム衣類１では、着用者に着圧を付与する押さえ部２１がウエスト部１１の上側に配置されている。押さえ部２１では、本体部２の前側に位置する第１の部分２２の周方向の伸長率が最も低くなっており、着用者の腹部周辺をしっかりと押さえて体型補整効果を発揮する一方、本体部２の背側に位置する第３の部分２４の周方向の伸長率が最も高くなっており、着脱容易性と着用者の運動に対する追従性とを確保できる。
【００３５】
また、押さえ部２１では、本体部２の脇側に位置する第２の部分２３の曲げ剛性が最も高くなっており、着用者が日常の動作を行った際に第２の部分２３が外側に曲がってしまうことを防止できる。本実施形態では、図５に示したように、上辺部１５と裏打ち布１６との間に帯状のゴムテープ（或いはストレッチテープ）２５が配置されており、第２の部分２３が着用者のウエスト周りを面で押さえることができるため、第２の部分２３の曲がりを一層確実に防止できる。したがって、このボトム衣類１では、体型補整効果と着脱容易性とを十分に確保しつつ、着用時の着くずれを抑制してボディラインを維持できる。
【００３６】
また、ボトム衣類１では、第２の部分２３が本体部２の脇中心Ｃを超えて背側まで延在している。これにより、第２の部分２３がしっかりと着用者のウエスト周りを押さえることとなり、着用者が運動した際に第２の部分２３が外側に曲がってしまうことを一層確実に防止できる。
【００３７】
また、ボトム衣類１では、第１の部分２２と第２の部分２３とが連続し、さらに、第２の部分２３と第３の部分２４とが連続している。これにより、第２の部分２３が伸長率の最も低い第１の部分２２に連続することで、着用者が運動した際に第２の部分２３が外側に曲がってしまうことを一層確実に防止できる。また、伸長率が最も高い第３の部分２４と伸長率がその次に高い第２の部分２３とが連続することで、第３の部分２４による着用者の運動に対する追従性を一層効果的に発揮させることができる。
【００３８】
本発明は、上記実施形態に限られるものではない。例えば上述した実施形態では、押さえ部２１において、第１の部分２２と第２の部分２３とが連続した形態を例示したが、第１の部分２２及び第２の部分２３の作用を阻害しない範囲で、周方向の伸長率或いは幅方向の曲げ剛性が異なる部分が第１の部分２２と第２の部分２３との間に介在していてもよい。
【００３９】
また、例えば上述した実施形態では、押さえ部２１において、第２の部分２３と第３の部分２４とが連続した形態を例示したが、第２の部分２３及び第３の部分２４の作用を阻害しない範囲で、周方向の伸長率或いは幅方向の曲げ剛性が異なる部分が第２の部分２３と第３の部分２４との間に介在していてもよい。
【００４０】
押さえ部２１において、第１の部分２２、第２の部分２３、及び第３の部分２４は、幅方向について非（難）伸縮性を有していてもよい。これにより、第１の部分２２による体型補整効果、及び第２の部分２３による着くずれ防止効果を強化できる。第３の部分２４については、周方向の伸縮性が確保されている限り、着脱容易性が阻害されることはない。
【００４１】
第２の部分は、例えば図８（ａ）に示す第２の部分３３のように、例えば表側の上辺部１５を形成する素材の上端を、裏打ち布１６を挟んで裏側に折り返すと共に、表側の上辺部１５と裏打ち布１６との間に帯状のゴムテープ（或いはストレッチテープ）２５を配置し、縫着部Ｗ２によってゴムテープ２５の周縁部を上辺部１５の折り返し部分１５ａ及び表側の上辺部１５と共に裏打ち布１６に縫着することによって構成してもよい。
【００４２】
また、第３の部分は、例えば図８（ｂ）に示す第３の部分３４のように、例えば表側の上辺部１５を形成する素材の上端を裏打ち布１６の裏側に折り返すと共に、縫着部Ｗ３によって折り返し部分１５ａの端部をウエスト部１１の位置において表側の上辺部１５及び裏打ち布１６に縫着することによって構成してもよい。第２の部分２３と第３の部分３４とを組み合わせてもよく、第２の部分３３と第３の部分２４とを組み合わせてもよい。また、第２の部分３３と第３の部分３４とを組み合わせてもよい。
【００４３】
上記実施形態では、ガードルを例示したが、本発明は、ファンデーション衣類以外にも、ショーツ、パンティストッキング、レギンス、スパッツ、タイツ、スポーツ用タイツ、水着、パンツといった各種のボトム衣類に適用することができる。
【符号の説明】
【００４４】
１…ボトム衣類、２…本体部、１１…ウエスト部、２１…押さえ部、２２…第１の部分、２３，３３…第２の部分、２４，３４…第３の部分、Ｃ…脇中心。
【図１】
0005850088.tif 000002
【図２】
0005850088.tif 000003
【図３】
0005850088.tif 000004
【図４】
0005850088.tif 000005
【図５】
0005850088.tif 000006
【図６】
0005850088.tif 000007
【図７】
0005850088.tif 000008
【図８】
0005850088.tif 000009